(57)【特許請求の範囲】
【請求項１】
（１）下面板と背面板と上面板とを互いに結合してＵ字形とされ、前記下面板の背面部にはほぞが一体に起立して設けられ、複数の綴具を収納することができる支持具と、（２）下板、前記下板の背面縁に連接した背板、前記背板の上縁に連接した上板、前記下板から起立し上端に第１の留め具を有する少なくとも一対の綴じバー、及び前記上板に設けられて前記留め具に係止する第２の留め具を有する綴具とよりなり、前記支持具は、前記ほぞの頂部にスナップ頭部を設け、前記上面板に形成したスナップソケットに係止するようにし、前記綴具の前記下板と前記上板の背面側並びに前記背板には前記支持具の前記ほぞに保持されるほぞ溝が垂直に貫通して形成されてなる、綴具と支持具の組み合わせ。
【発明の詳細な説明】
【０００１】
【発明の属する技術分野】
本発明は、少なくとも２本の綴じバーによりルースリーフ式のノート、帳票類を綴じ込んでおくためのプラスチック製綴具と複数の綴具を保持する支持具の組み合わせに関する。
【０００２】
【従来の技術】
従来、下板と、前記下板の背面縁に連接した背板と、前記背板の上縁に連接した上板と、前記下板から起立し上端にスナップボタンを有する少なくとも一対の綴じバーと、前記上板に設けられて前記ボタンに係止するスナップソケットとよりなる綴具は紙葉、特に伝票類を綴じておくのに広く使用されている。このような綴具はそれ自体で紙葉をつづるのに使用され、或いは下板に形成さた取付手段例えば鋲止め孔と鋲を利用して厚紙又は固いプラスチック表紙に取りつけられる。
【０００３】
【発明が解決しようとする課題】
しかしながら、この種の綴具の厚さは一定であるから、綴じ込み得る紙葉の厚さには上限がある。本発明はこの問題を解決することを課題とする。
【０００４】
【課題を解決するための手段】
本発明は、（１）複数の綴具を保持するための保持手段を有する支持具と、（２）下板、前記下板の背面縁に連接した背板、前記背板の上縁に連接した上板、前記下板から起立し上端に第１の留め具を有する少なくとも一対の綴じバー、及び前記上板に設けられて前記留め具に係止する第２の留め具を有する綴具とよりなり、前記綴具の背板には前記支持具の保持手段の１つに保持される係止手段を有する、綴具と支持具の組み合わせである。
【０００５】
ここに、典型的には支持具の保持手段と綴具の係止手段の一方はほぞ、他方はほぞ溝であり、より好ましくは、保持手段はほぞであり、係止手段は前記ほぞを受けるほぞ溝である。更に、ほぞ溝は複数の綴具を貫く方向に形成されているか、又は各綴具の背面にその長さ方向に形成されている。各綴具を独立に支持具に着脱できる点では後者の方が優れているが、構造の簡便さでは前者が優れている。
【０００６】
支持具は具体的には、単独で使用しても良いし、固い表紙等に取りつけることができるように少なくとも２つの取付孔を有することが好ましい。これにより鋲止めが可能となる。また、支持具は綴具を同様にＵ字形に形成することが可能であり、ほぞの上端に留め具を形成し、且つ支持具の上板をスナップ式の留め具で止めるようにしても良い。このようにして支持具は１個ないし数個の綴具を納めることができる。
【０００７】
以上のように、本発明によると、複数個の綴具を綴じ込まれる紙葉の厚さ方向に重畳させて使用できるので従来の不便が解消され、極めて便利である。
本発明はまた上記の綴具の考案でもある。すなわち、綴具は単独でも使用できるし、支持具に綴じ込んで使用することもできる。
【０００８】
【発明の実施の形態】
以下図面に関連して本発明を詳しく説明する。
第１実施例
図１は本発明の第１実施例による綴具と支持具の組み合わせを示す斜視図である。
図２は図１の綴具の平面図、図３は同正面図、及び図４は同左側面図である。図１及び図２〜４を参照するに、Ａは綴具であり、強靭なプラスチックで一体成形された下板１、背板２、上板３を含む。下板１の背面縁と背板２の下縁、及び背板２の上縁と上板の背面縁はそれぞれ薄肉部により互いに接続されており、Ｕ字形（コ字形）に折り込んだ時に互いに衝合する２つの面を持つＶ字形溝が成形時に形成されている。
下板１には一対の綴じバー４、５が起立しており、綴じバーの頂部にはスナップボタン頭が形成され、一方上板３にはこれらのボタン頭をそれぞれ受けるソケットが形成されてスナップ式留め具６、７を構成している。
図４に示すように、各板間の接合縁がヒンジとして作用するので、スナップ式留め具６、７を係脱することにより、帳票類を挿入したり外したりすることができる。以上は公知の構造である。
【０００９】
次に本発明の特徴を説明する。下板１と上板３の背面側並びに背板２には２ケ所にほぞ溝８、９が垂直に貫通して形成される。これらの溝の断面形状は任意でありほぞ形のもの、Ｔ字形のもの等任意形状で良い。なお、１０は見出しを貼着するためのラベル面である。
【００１０】
次に、図１及び図５〜７を参照して本発明の綴具Ａと組み合わせる支持具Ｂを説明する。図５は図１の綴具の平面図、図６は同正面図、及び図７は同左側面図である。支持具Ｂはこの例では４個の綴具を収納できる高さを有するＵ字形（コ字形）をしている。支持具Ｂは綴具Ａと同様に強靭なプラスチック製で一体成形され、下面板１１と背面板１２と上面板１３とをＶ字形の継ぎ手部分を介して互いに結合してなるものである。下面板１１の背面部には一対のほぞ１４、１５が一体に起立している。これらのほぞは綴具Ａのほぞ溝に嵌合するように配置され且つ形成されている。この例ではほぞ１４、１５の断面はＴ字形であるがほぞ溝８、９に対して相補形状をなす限り任意で良いことは明らかであろう。これらのほぞの頂部には３個の綴具Ａを重ねた時に上に突出するスナップ頭部を形成し、これに対して上面板１３に形成したスナップソケット１８、１９により留め具１６、１７を形成する。
また、下面板１１と背面板１２とには鋲止め用の孔２１、２２、２３、２４、２５、２６を設けておくことにより、厚紙又は固いプラスチック製の表紙又は背表紙に綴じ付けることができる。
【００１１】
以上の構成であるから、本発明の綴具Ａは単独で使用できることはもちろんである。また図１及び図７に示したように、綴具のほぞ溝８、９を支持具Ｂのほぞ１４、１５に嵌合させることにより１個ないし４個の綴具を支持具に保持させることができ、帳票類の綴じ込みに融通性が生じ、帳票の量に応じて綴じ込み量を変えることができる。また、帳票の種類に応じて４個の綴具にそれぞれの種類を綴じ込むようにして整理を助けることができる。この場合には４個の綴具を異なった色に着色しておけば一層便利である。
【００１２】
第２実施例
上の実施例は複数個の綴具を綴じ込んでから再び帳票を追加するにはすべて外す必要があるので不便がある。この不便は第２実施例では解消される。
図８〜１４は本発明の他の実施例を示し、第１実施例と共通の構成部分は同一の参照記号を付して説明を省略する。
本例では、第１実施例における支持具Ｂのほぞ１４、１５、及び綴具Ａのほぞ溝８、９は使用されない。その代わりに、綴具Ａの背面の長手方向に沿って向い合った一対のＬ字形及び逆Ｌ字形部材で形成されるほぞ溝３０、３１が形成される。綴具Ａは４個までの任意の個数が使用できる。
これに対応して、支持具Ｂの背面板１２の内面にはそれぞれ背中を向いた形の逆Ｌ字形及びＬ字形の部材でほぼＴ字形に形成される４本のほぞ３２、３３、３４、３５が図１４で見て水平に且つ等間隔で平行に延びている。これらのほぞはそれぞれ綴具Ａのほぞ溝３０、３１に嵌合するような位置及び形状に形成される。ほぞ及びほぞ溝は綴具の全長にわたって形成する必要はなく、図示のように一部分に形成されても良い。
各ほぞの端部には図８、図１３〜１４のように一端にストッパ板３６を設け、他端にバネ板３８を支持具Ｂと同一の材料で一体成形で形成することができる。バネ板３８は外端側で低く、ほぞ側の自由端３９で高くなる。綴具Ａのほぞ溝３０又は３１の端部をほぞ３２〜３５のどれかにバネ板３８の弾性に抗して嵌め、図１４で見て左方向にストッパ板３６までスライドさせると、バネ板３８は復元して綴具Ａのほぞ溝の端部または綴具自体の端部を押える。なお摩擦で保持できる場合にはバネ板３８は省略しても良い。綴具を取外すには、バネ板３８を指で押さえた状態で綴具をバネ板の方へスライドさせれば良い。
【００１３】
以上の構成であるから、ほぞとほぞ溝を利用して１個ないし３個の綴具Ａを長さ方向から互いに嵌合させ、スライドさせることにより所定位置に保持することができる。明らかに任意の綴具を他の綴具から独立に支持具に取付或いは取り外すことができる。従って本実施例の組み合わせは第１実施例よりもはるかに便利である。
なお、図１５のように綴具Ａの長手方向に沿って下板１に突起４１を、上板３に突起４１よりも若干幅の広い溝４０を設けることにより（あるいはこの逆）、支持具Ｂに隣接して支持した複数の綴具Ａをきれいに整列させると共に綴具を強固に固定し、又綴具の脱着がスムースにできる。
【００１４】
【発明の効果】
本発明によると、複数個の綴具を連結して綴じ込み量を調整することができるので帳票類の整理がし易い。また、複数の綴具の色を変えることにより分類を容易にすることができる。
【図面の簡単な説明】
【図１】図１は本発明の第１実施例による綴具と支持具の組み合わせを示す斜視図である。
【図２】図２は図１の綴具の平面図である。
【図３】図３は同正面図である。
【図４】図４は同左側面図である。
【図５】図５は図１の綴具の平面図である。
【図６】図６は同正面図である。
【図７】図７は同左側面図である。
【図８】図８は本発明の第２実施例による綴具と支持具の組み合わせを示す斜視図である。
【図９】図９は図８の綴具の平面図である。
【図１０】図１０は同正面図である。
【図１１】図１１は同左側面図である。
【図１２】図１２は図８の支持具の平面図である。
【図１３】図１３は同正面図である。
【図１４】図１４は同左側面図である。
【図１５】図１５は変形例の左側面図である。
【符号の説明】
Ａ  綴具
Ｂ  支持具
１  下板
２  背板
３  上板
４、５  綴じバー
６、７  スナップ式留め具
８、９、３０、３１  ほぞ溝
１１  下面板
１２  背面板
１３  上面板
１４、１５、３２、３３、３４、３５  ほぞ
１６、１７  留め具
１８、１９  スナップソケット
２１〜２６  取付孔
３６  ストッパ板
３８  バネ板
【図１】
0003727405.tif 000002
【図２】
0003727405.tif 000003
【図３】
0003727405.tif 000004
【図４】
0003727405.tif 000005
【図５】
0003727405.tif 000006
【図６】
0003727405.tif 000007
【図７】
0003727405.tif 000008
【図８】
0003727405.tif 000009
【図９】
0003727405.tif 000010
【図１０】
0003727405.tif 000011
【図１１】
0003727405.tif 000012
【図１２】
0003727405.tif 000013
【図１３】
0003727405.tif 000014
【図１４】
0003727405.tif 000015
【図１５】
0003727405.tif 000016